(57)【要約】【課題】開封刃によりシール材を破断して形成する破断開口の大きさを調整する。【解決手段】上端開口部２１ｅがシール材２４に封止されたカップ本体２１の上端部に装着される装着筒１１を備えるカップ容器用蓋体１であって、カップ本体２１の上端開口縁に配置される装着環１２と、装着環１２における径方向の内側に配置された切刃部１５と、を備え、切刃部１５は、装着環１２より下方に突出した開封刃１６を備え、装着筒１１は、カップ本体２１の上端部に周方向に回転可能に装着される。【選択図】図１
2019099203.tif 000002
【特許請求の範囲】
【請求項１】
上端開口部がシール材に封止されたカップ本体の上端部に装着される装着筒を備えるカップ容器用蓋体であって、
前記カップ本体の上端開口縁に配置される装着環と、前記装着環における径方向の内側に配置された切刃部と、を備え、
前記切刃部は、前記装着環より下方に突出した開封刃を備え、
前記装着筒は、前記カップ本体の上端部に周方向に回転可能に装着されることを特徴とするカップ容器用蓋体。
【請求項２】
前記装着環における径方向の内側に、前記装着環より下方に突出し、前記シール材のうち、前記開封刃に破断されて垂れ下がった部分を上方から支持する押え突起が配設されていることを特徴とする請求項１に記載のカップ容器用蓋体。
【請求項３】
前記切刃部は、前記装着環の内周縁に配設され、
前記押え突起は、前記装着環の中心軸線に沿う軸方向から見て、前記装着環の中心軸線と、前記開封刃と、の間に配置されていることを特徴とする請求項２に記載のカップ容器用蓋体。
【請求項４】
前記切刃部は、前記装着環の内周縁に配設されていることを特徴とする請求項１または２に記載のカップ容器用蓋体。
【発明の詳細な説明】
【技術分野】
【０００１】
本発明は、カップ容器用蓋体に関するものである。
【背景技術】
【０００２】
従来から、上端開口部がシール材に封止されたカップ本体の上端部に装着されるカップ容器用蓋体として、例えば下記特許文献１に示されるような、シール材の上方に配設される天壁部を有し、かつカップ本体に装着される有頂筒状の蓋本体と、シール材を破断する開封刃を有し、かつ天壁部に形成された貫通孔内に配設された切刃部と、を備え、開封刃が下降するように、切刃部が蓋本体にヒンジ部回りに回転可能に支持された構成が知られている。
【先行技術文献】
【特許文献】
【０００３】
【特許文献１】特開２０１６−１４１４０４号公報
【発明の概要】
【発明が解決しようとする課題】
【０００４】
しかしながら、前記従来のカップ容器用蓋体では、開封刃によりシール材を破断して形成する破断開口の大きさを調整することができないという問題があった。
【０００５】
本発明は、このような事情を考慮してなされたもので、開封刃によりシール材を破断して形成する破断開口の大きさを調整することができるカップ容器用蓋体を提供することを目的とする。
【課題を解決するための手段】
【０００６】
上記課題を解決して、このような目的を達成するために、本発明のカップ容器用蓋体は、上端開口部がシール材に封止されたカップ本体の上端部に装着される装着筒を備えるカップ容器用蓋体であって、前記カップ本体の上端開口縁に配置される装着環と、前記装着環における径方向の内側に配置された切刃部と、を備え、前記切刃部は、前記装着環より下方に突出した開封刃を備え、前記装着筒は、前記カップ本体の上端部に周方向に回転可能に装着されることを特徴とする。
【０００７】
この発明によれば、装着筒をカップ本体の上端部に装着すると、装着環がカップ本体の上端開口縁に配置されるとともに、開封刃がシール材を突き破る。そして、カップ容器用蓋体およびカップ本体を相対的に周方向に回転させるのに伴い、開封刃がシール材を周方向に破ることで、シール材の破断開口が拡げられる。
これにより、カップ容器用蓋体およびカップ本体の相対的な周方向の回転移動量に応じて、シール材の破断開口の大きさを調整することができる。
【０００８】
ここで、前記装着環における径方向の内側に、前記装着環より下方に突出し、前記シール材のうち、前記開封刃に破断されて垂れ下がった部分を上方から支持する押え突起が配設されてもよい。
【０００９】
この場合、装着環における径方向の内側に、押え突起が配設されているので、カップ本体内の内容物を、シール材の破断開口を通して注出する際に、この内容物の流動により、シール材のうち、破断されて垂れ下がった部分が捲れ上がろうとしても、押え突起により上方から支持されることとなり、この垂れ下がり部分によりシール材の破断開口が塞がれるのを抑制することができる。
【００１０】
また、前記切刃部は、前記装着環の内周縁に配設され、前記押え突起は、前記装着環の中心軸線に沿う軸方向から見て、前記装着環の中心軸線と、前記開封刃と、の間に配置されてもよい。
【００１１】
この場合、押え突起が、装着環の中心軸線に沿う軸方向から見て、装着環の中心軸線と、開封刃と、の間に配置されていて、押え突起と開封刃との距離が短く抑えられているので、開封刃が、シール材のうち、押え突起から押下力が及ぼされて引張力が生じている部分を突き破ることとなり、開封刃によりシール材を確実に破断することができるとともに、この破断開口を容易に拡げることができる。
【００１２】
また、前記切刃部は、前記装着環の内周縁に配設されてもよい。
【００１３】
この場合、切刃部が、装着環の内周縁に配設されているので、前述の回転移動量を少なく抑えても、開封刃によるシール材の周方向の破断長さを長く確保することが可能になり、開封操作性を向上させることができる。
また、切刃部が、装着環の内周縁に配設されていることから、シール材の破断開口を、シール材のうち外周側に偏らせて位置させることが可能になり、カップ本体の内容物を、シール材の破断開口を通して容易に注出することができる。
【発明の効果】
【００１４】
本発明によれば、開封刃によりシール材を破断して形成する破断開口の大きさを調整することができる。
【図面の簡単な説明】
【００１５】
【図１】本発明に係る一実施形態として示したカップ容器用蓋体がカップ本体に装着された状態の縦断面図である。
【図２】図１に示すカップ容器用蓋体の上面図である。
【図３】図１に示すカップ容器用蓋体を左右方向から見た側面図である。
【図４】図１に示すカップ容器用蓋体の切刃部を後方から見た正面図である。
【発明を実施するための形態】
【００１６】
以下、図面を参照し、本発明の一実施形態に係るカップ容器用蓋体１について説明する。
カップ容器用蓋体１は筒状に形成され、カップ容器用蓋体１が装着されるカップ本体２１は有底筒状に形成されている。カップ容器用蓋体１、およびカップ本体２１それぞれの中心軸線は、共通軸と同軸に配置されている。以下、この共通軸を中心軸Ｏといい、中心軸Ｏに沿うカップ本体２１の底部２１ａ側を下側、これとは反対側を上側といい、中心軸Ｏに沿う方向を軸方向という。また、軸方向から見た平面視において、中心軸Ｏに交差する方向を径方向といい、中心軸Ｏ回りに周回する方向を周方向という。
【００１７】
まず、カップ容器用蓋体１が装着されるカップ本体２１について説明する。
図１に示されるように、カップ本体２１の上端には、径方向の外側に向けて突出し、かつ全周にわたって連続して延びるフランジ部２１ｂが配設されている。フランジ部２１ｂの上面は、カップ本体２１の上端開口縁と面一になっている。フランジ部２１ｂの上面、およびカップ本体２１の上端開口縁にシール材２４が固着されることによって、カップ本体２１の上端開口部２１ｅが封止されている。
【００１８】
カップ本体２１の下部には、径方向の内側に向けて突出する支持突起２１ｄが、周方向に間隔をあけて複数形成されている。支持突起２１ｄは、カップ本体２１内に挿入された他のカップ本体２１の底部２１ａの外周縁部を支持する。これにより、両カップ本体２１の密接を防止し、複数積み重ねられたカップ本体２１を個別に容易に取り出すことができる。
【００１９】
カップ容器用蓋体１は、カップ本体２１の上端部に装着される装着筒１１を備える。装着筒１１は、カップ本体２１のフランジ部２１ｂに周方向に回転可能に装着される。
装着筒１１には、径方向の内側に向けて突出し、かつフランジ部２１ｂの下面を支持する支持突部１１ａが形成されている。支持突部１１ａは、装着筒１１に、周方向に間隔をあけて複数形成されている。複数の支持突部１１ａは、装着筒１１の内周面のうち、中心軸Ｏを径方向に挟んで互い対向する位置に配置されている。
【００２０】
装着筒１１において、周方向で互いに隣り合う支持突部１１ａ同士の間に位置する部分に、図３に示されるように、径方向に貫通し下方に向けて開口した縦孔１１ｂが形成されている。縦孔１１ｂは、径方向の外側から見て、軸方向に長い長方形状を呈する。
装着筒１１に縦孔１１ｂが形成されたことにより、装着筒１１を拡径変形させやすくなり、支持突部１１ａがカップ本体２１のフランジ部２１ｂを下方に乗り越えて、カップ容器用蓋体１がカップ本体２１の上端部に装着される際に、カップ容器用蓋体１に加えるカップ本体２１に向けた押し付け力が過度に高くなるのを抑制することができる。
【００２１】
カップ容器用蓋体１は、カップ本体２１の上端開口縁に配置される装着環１２を備える。
装着環１２は、図１および図２に示されるように、装着筒１１の上端から径方向の内側に向けて突出し、全周にわたって連続して延びている。装着環１２は、カップ本体２１の上端開口縁およびフランジ部２１ｂの上面に配置されている。装着環１２には、フランジ部２１ｂの上面にシール材２４を介して液密に当接するシール突部１２ａが形成されている。シール突部１２ａは、全周にわたって連続して延びる突条状に形成されている。シール突部１２ａは、カップ本体２１のフランジ部２１ｂを、下方に向けて付勢して支持突部１１ａに圧接させている。
【００２２】
カップ容器用蓋体１は、装着環１２から上方に向けて突出する縦壁１３を備える。
縦壁１３は、装着環１２の内周縁部に配設されている。縦壁１３は、周方向に延びている。縦壁１３は、中心軸Ｏを中心に１８０°を超え、３６０°未満の角度範囲にわたって位置している。縦壁１３における周方向の両端部１３ａは、周方向の外側に向かうに従い漸次、装着環１２から上方に向けた突出高さが低くなっている。縦壁１３のうち、両端部１３ａを除く部分は、装着環１２から上方に向けた突出高さが全周にわたって同等で、かつ中心軸Ｏを中心に約１８０°の角度範囲にわたって位置している。なお、縦壁１３の形状を適宜設計することで、例えば、注出しやすくしたり、口当たりを良くして内容物を飲みやすくしたりしてもよい。
【００２３】
以下、径方向のうち、中心軸Ｏから、縦壁１３における周方向の中央部に向かう方向を前側といい、その逆方向を後側という。また、径方向のうち、前後方向に直交する方向を左右方向という。
【００２４】
カップ容器用蓋体１は、装着環１２における径方向の内側に配置された切刃部１５を備える。切刃部１５は、装着環１２より下方に突出した開封刃１６を備える。
切刃部１５は、装着環１２の内周縁に配設されている。図示の例では、切刃部１５は、装着環１２の内周縁における前端部に配設されている。切刃部１５のうち、開封刃１６より上方に位置する上部１５ａは、図４に示されるように、後方から見て、上半分の円形状を呈する。切刃部１５の上部１５ａは、装着環１２の内周縁から縦壁１３の下端部に達している。
【００２５】
切刃部１５のうち、装着環１２から下方に突出した開封刃１６は、下方に向けて尖っている。図示の例では、開封刃１６は、下方に向かうに従い漸次、周方向の幅が短くなり、かつ径方向の厚さが薄くなっている。開封刃１６は、周方向の内側から外側に向かうに従い漸次、径方向の厚さが薄くなっている。切刃部１５のうち、開封刃１６と上部１５ａとの接続部分における径方向の厚さが最も厚くなっている。開封刃１６の表面のうち、後方を向く後面が下方に向かうに従い漸次、前方に向けて延び、前方を向く前面は、カップ本体２１の内周面に沿うようにほぼ軸方向に延びている。開封刃１６の前面は、装着筒１１の内周面に径方向で対向している。開封刃１６の前面は、支持突部１１ａに径方向で対向している。
【００２６】
カップ容器用蓋体１は、装着環１２から径方向の内側に向けて突出する横壁１４を備える。
横壁１４は、縦壁１３における周方向の中央部と径方向で対向する位置に配置されている。横壁１４は、装着環１２の内周縁における後端部から前方に向けて延びている。横壁１４の前端部は、装着環１２の内周縁における前端部より後方に位置している。横壁１４は、中心軸Ｏを前後方向に跨いでいる。横壁１４は、軸方向から見て、前後方向に長い長方形状を呈する。横壁１４の後端部の上面は、装着環１２の上面と面一になっている。横壁１４の前端縁と、装着環１２の内周縁と、の前後方向の隙間は、横壁１４において、装着環１２における径方向の中央部に位置する部分の左右方向の端縁と、装着環１２の内周縁と、の左右方向の隙間より狭くなっている。
【００２７】
カップ容器用蓋体１は、装着環１２における径方向の内側に配設された押え突起１７を備える。押え突起１７は、装着環１２より下方に突出し、シール材２４のうち、開封刃１６に破断されて垂れ下がった部分（以下、垂れ下がり部分という）２４ａを上方から支持する。
押え突起１７は、横壁１４から下方に向けて突出している。押え突起１７は、横壁１４の前端部に配設され、軸方向から見て、中心軸Ｏと開封刃１６との間に配置されている。押え突起１７は、横壁１４の前端縁から後方に離れて配設されている。押え突起１７は、前後方向から見て、左右方向に長い長方形状を呈する板状に形成されている。押え突起１７および開封刃１６それぞれにおける左右方向の中央部は、前後方向で互いに対向している。押え突起１７の下端は、開封刃１６の下端より下方に位置している。
【００２８】
押え突起１７の前面と、開封刃１６の後面と、の前後方向の距離は、装着環１２の内周縁の半径の１／４以上３／４以下となっている。
この距離が、装着環１２の内周縁の半径の１／４未満になると、押え突起１７の軸方向の長さを相当長くしなければ、シール材２４の垂れ下がり部分２４ａを上方から支持することができず、また、この距離が、装着環１２の内周縁の半径の３／４を超えると、カップ本体２１内の内容物を、開封刃１６により形成された、シール材２４の破断開口２４ｂを通して注出する際に、シール材２４の垂れ下がり部分２４ａの捲れ上がりを、押え突起１７で抑えることができない。なお、前者のように、押え突起１７の軸方向の長さが過度に長くなってしまうと、例えば、カップ容器用蓋体１をカップ本体２１に装着する際に、押え突起１７が変形する等、この装着が困難になるおそれがある。
【００２９】
ここで、カップ容器用蓋体１に、この蓋体１をカップ本体２１に装着する際に、シール材２４に、内容物の注出に伴い外気を吸入可能な空気置換孔をあける穿孔突起を設けてもよい。穿孔突起は、例えば、中心軸Ｏを径方向に挟む切刃部１５の反対側に配設してもよい。図示の例では、横壁１４において、中心軸Ｏより後方に位置する部分に配設してもよい。
【００３０】
以上説明したように、本実施形態によるカップ容器用蓋体１によれば、装着筒１１をカップ本体２１の上端部に装着すると、装着環１２がカップ本体２１の上端開口縁に配置されるとともに、開封刃１６がシール材２４を突き破る。そして、カップ容器用蓋体１およびカップ本体２１を相対的に周方向に回転させるのに伴い、開封刃１６がシール材２４を周方向に破ることで、シール材２４の破断開口２４ｂが拡げられる。
これにより、カップ容器用蓋体１およびカップ本体２１の相対的な周方向の回転移動量に応じて、シール材２４の破断開口２４ｂの大きさを調整することができる。
【００３１】
また、装着環１２における径方向の内側に押え突起１７が配設されているので、カップ本体２１内の内容物を、シール材２４の破断開口２４ｂを通して注出する際に、この内容物の流動により、シール材２４の垂れ下がり部分２４ａが捲れ上がろうとしても、押え突起１７により上方から支持されることとなり、この垂れ下がり部分２４ａによりシール材２４の破断開口２４ｂが塞がれるのを抑制することができる。
【００３２】
また、押え突起１７が、軸方向から見て、中心軸Ｏと開封刃１６との間に配置されていて、押え突起１７と開封刃１６との距離が短く抑えられているので、開封刃１６が、シール材２４のうち、押え突起１７から押下力が及ぼされて引張力が生じている部分を突き破ることとなり、開封刃１６によりシール材２４を確実に破断することができるとともに、この破断開口２４ｂを容易に拡げることができる。
【００３３】
また、切刃部１５が、装着環１２の内周縁に配設されているので、前述の回転移動量を少なく抑えても、開封刃１６によるシール材２４の周方向の破断長さを長く確保することが可能になり、開封操作性を向上させることができる。
また、切刃部１５が、装着環１２の内周縁に配設されていることから、シール材２４の破断開口２４ｂを、シール材２４のうち外周側に偏らせて位置させることが可能になり、カップ本体２１の内容物を、シール材２４の破断開口２４ｂを通して容易に注出することができる。
【００３４】
本発明は上記した実施の形態に限定されるものではなく、その趣旨を逸脱しない範囲で適宜変更可能である。
【００３５】
例えば前記実施形態では、縦孔１１ｂ、縦壁１３、横壁１４、および押え突起１７を備える構成を示したが、これらを有しないカップ容器用蓋体を採用してもよい。
また、切刃部１５および押え突起１７を配設する部位および位置は、前記実施形態に限らず適宜変更してもよい。
【００３６】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００３７】
１  カップ容器用蓋体
１１  装着筒
１２  装着環
１５  切刃部
１６  開封刃
１７  押え突起
２１  カップ本体
２１ｅ  上端開口部
２４  シール材
【図１】
2019099203.tif 000003
【図２】
2019099203.tif 000004
【図３】
2019099203.tif 000005
【図４】
2019099203.tif 000006